(57)【要約】【課題】電線と圧接端子との接触面積が小さくなるのを抑制しつつ、電線及び圧接端子の配置スペースが大きくなるのを抑制する電子装置を提供する。【解決手段】電子装置１００は、電線９０と端子４４とを備えている。電線９０は、導体部９４と、導体部９４を被覆する被覆部９６と、を有している。電線９０は、螺旋状に複数回巻かれている。これにより、電線９０の螺旋の軸方向に延びる中空９２が形成されている。端子４４は、角部５２と圧接部５４とを有している。角部５２は、被覆部９６における中空９２側の部分を除去する。端子４４が中空９２に挿入された状態において、中空９２に露出した導体部９４に対し、圧接部５４が圧接している。軸方向に重なる電線９０の被覆部９６は、角部５２により除去されている。端子４４は、軸方向に重なる電線９０の導体部９４と接触している。【選択図】図２
2017204363.tif 000002
【特許請求の範囲】
【請求項１】
導体部（９４）と、前記導体部を被覆する被覆部（９６）と、を有し、螺旋状に複数回巻かれることにより、螺旋の軸方向に延びる中空（９２）が形成された電線（９０）と、
前記被覆部における前記中空側の部分を除去するための除去部（５２，５８，６０，６２，７０）と、前記除去部と前記軸方向に連結され、前記中空に挿入された状態で、前記中空側の前記被覆部が除去されて前記中空に露出した前記導体部に圧接する圧接部（５４）と、を有する圧接端子（４４）と、
を備え、
前記軸方向に重なる前記電線の前記被覆部は、前記除去部により除去されており、
前記圧接部は、前記軸方向に重なる前記電線の前記導体部に圧接している電子装置。
【請求項２】
前記圧接端子は、
前記中空に挿入された状態で、前記軸方向と直交する方向において互いに対向するとともに、前記導体部にばね反力を作用させて圧接する一対の梁部（４６）と、
各梁部の一端同士が連結されてなる第１連結部（４８）と、
各梁部の他端同士が連結されてなる第２連結部（５０）と、
を有している請求項１に記載の電子装置。
【請求項３】
前記圧接端子において前記除去部に対して前記圧接部と反対側の部分は、前記軸方向と直交する方向の幅が先端に向かうほど狭くされたテーパ形状をなしている請求項１又は請求項２に記載の電子装置。
【請求項４】
前記圧接端子には、前記電線を保持するための凹み（５６）が形成され、
前記凹みの開口には、前記除去部をなす角部が形成されている請求項１〜３のいずれか１項に記載の電子装置。
【請求項５】
前記圧接端子は、前記軸方向に並ぶ複数の前記除去部を有する請求項１〜４のいずれか１項に記載の電子装置。
【請求項６】
前記圧接端子は、前記軸方向において前記圧接部に対して前記除去部と反対側に形成され、前記圧接端子が前記中空に挿入された状態で、前記電線において前記中空側に向く面と接触して、前記圧接端子が前記中空から抜けるのを抑制する抜止部（６４）をさらに有し、
前記抜止部は、前記軸方向と直交する方向の幅が前記除去部へ向かうほど狭くされたテーパ形状をなしている請求項１〜５のいずれか１項に記載の電子装置。
【請求項７】
前記圧接部は、前記導体部における前記中空側に向く面の全体と接触している請求項１〜６のいずれか１項に記載の電子装置。
【請求項８】
前記圧接端子は、導電率が４０％ＩＡＣＳ以上の金属材料を用いて形成されている請求項１〜７のいずれか１項に記載の電子装置。
【発明の詳細な説明】
【技術分野】
【０００１】
本発明は、導体部及び被覆部を有する電線と、被覆部を除去して導体部と圧接する圧接端子と、を備える電子装置に関する。
【背景技術】
【０００２】
従来、特許文献１に記載のように、ワイヤ（電線）と、圧接端子と、を備える固定子が知られている。圧接端子には、ワイヤと導通するための導通用溝が形成されている。導通用溝にワイヤが挿入されることで、ワイヤの絶縁層（被覆部）が除去され、ワイヤと圧接端子とが導通する。圧接端子は、ワイヤとの接触面積を確保するために、２つの導通用溝が形成された三股形状をなしている。また、圧接端子とワイヤとの接触面積を確保するために、各導通用溝には、複数本のワイヤが挿入されている。
【先行技術文献】
【特許文献】
【０００３】
【特許文献１】特開２００５−１３０５８６号公報
【発明の概要】
【発明が解決しようとする課題】
【０００４】
しかしながら、上記構成では、ワイヤと圧接端子との接触面積を確保するために、複数本のワイヤを設ける必要があり、ワイヤの配置スペースが大きくなる虞がある。また、圧接端子が三股形状をなしているため、圧接端子の幅が大きくなる虞がある。すなわち、圧接端子の配置スペースが大きくなる虞がある。
【０００５】
本発明はこのような課題に鑑みてなされたものであり、電線と圧接端子との接触面積が小さくなるのを抑制しつつ、電線及び圧接端子の配置スペースが大きくなるのを抑制する電子装置を提供することを目的とする。
【課題を解決するための手段】
【０００６】
本発明は、上記目的を達成するために以下の技術的手段を採用する。なお、括弧内の符号は、ひとつの態様として下記の実施形態における具体的手段との対応関係を示すものであって、技術的範囲を限定するものではない。
【０００７】
本発明のひとつは、
導体部（９４）と、導体部を被覆する被覆部（９６）と、を有し、螺旋状に複数回巻かれることにより、螺旋の軸方向に延びる中空（９２）が形成された電線（９０）と、
被覆部における中空側の部分を除去するための除去部（５２，５８，６０，６２，７０）と、除去部と軸方向に連結され、中空に挿入された状態で、中空側の被覆部が除去されて中空に露出した導体部に圧接する圧接部（５４）と、を有する圧接端子（４４）と、
を備え、
軸方向に重なる電線の被覆部は、除去部により除去されており、
圧接部は、軸方向に重なる電線の導体部に圧接している。
【０００８】
上記構成において、電線が螺旋状に複数回巻かれており、圧接部は軸方向に重なる電線の導体部と接触している。よって、圧接部は、導体部の軸方向に並ぶ複数箇所と接触している。これによれば、電線の本数を複数とすることなく、電線と圧接端子との接触面積が小さくなるのを抑制することができる。すなわち、電線と圧接端子との接触面積を確保しつつ、電線の配置スペースが大きくなるのを抑制することができる。
【０００９】
また、上記構成において、圧接端子では、除去部が圧接部に対して軸方向に連結されつつ、圧接部が中空に露出する導体部に圧接している。すなわち、圧接部は、中空に配置される。そのため、軸方向と直交する方向において、圧接端子の幅は、中空の幅よりも狭くされる。したがって、圧接端子の配置スペースが大きくなるのを抑制することができる。
【図面の簡単な説明】
【００１０】
【図１】第１実施形態に係る電子装置の概略構成を示す断面図である。
【図２】端子と電線との接続構造を示す断面図である。
【図３】図２のIII−III線に沿う断面図である。
【図４】電線の詳細構造を示す側面図である。
【図５】電線の詳細構造を示す断面図である。
【図６】端子と電線との接続構造を示す断面図である。
【図７】電子装置の組み付け方法を説明するための断面図である。
【図８】電子装置の組み付け方法を説明するための断面図である。
【図９】第２実施形態に係る電子装置において端子の詳細構造を示す断面図である。
【図１０】図９において一点鎖線で示した領域Ｘの拡大断面図である。
【図１１】電子装置の組み付け方法を説明するための断面図である。
【図１２】第３実施形態に係る電子装置において端子の詳細構造を示す断面図である。
【図１３】第４実施形態に係る電子装置において端子の詳細構造を示す断面図である。
【図１４】第５実施形態に係る電子装置において端子と電線との接続構造を示す断面図である。
【図１５】図１４のＸＶ−ＸＶ線に沿う断面図である。
【図１６】電線の詳細構造を示す断面図である。
【図１７】第１変形例に係る電子装置において端子の詳細構造を示す斜視図である。
【図１８】端子と電線との接続構造を示す断面図である。
【発明を実施するための形態】
【００１１】
図面を参照して説明する。なお、複数の実施形態において、共通乃至関連する要素には同一の符号を付与するものとする。螺旋状に巻かれた電線の軸方向をＺ方向、Ｚ方向と直交する特定の方向をＸ方向、Ｚ方向及びＸ方向と直交する方向をＹ方向と示す。また、Ｘ方向及びＹ方向により規定される平面をＸＹ平面と示す。
【００１２】
（第１実施形態）
先ず、図１に基づき、電子装置１００の概略構成について説明する。
【００１３】
図１に示すように、電子装置１００は、基板１０、電子部品２０、ケース３０、圧接端子４０、ハウジング８０、及び、電線９０を備えている。本実施形態において、電子装置１００は、車両用のＥＣＵとされている。詳しくは、電子装置１００が、車両用のモータを制御するＥＣＵである。
【００１４】
基板１０は、プリント基板である。基板１０は、厚さ方向がＺ方向に沿う平板形状をなしている。基板１０は、表面１０ａと、表面１０ａと反対の裏面１０ｂと、を有している。表面１０ａ及び裏面１０ｂは、Ｚ方向と直交する平面とされている。基板１０には、スルーホール１２が形成されている。
【００１５】
スルーホール１２は、基板１０が圧接端子４０と接続されるために形成された基板１０の貫通孔である。スルーホール１２は、基板１０において、表面１０ａから裏面１０ｂにわたって形成されている。表面１０ａ及び裏面１０ｂにおけるスルーホール１２の開口の周縁部、及び、スルーホール１２の内壁面には、圧接端子４０と電気的に接続されるための電極が形成されている。
【００１６】
表面１０ａ及び裏面１０ｂの少なくとも一方には、電子部品２０が実装されるための電極が形成されている。電子部品２０は、基板１０とともに電子回路を構成している。電子部品２０としては、例えば、ダイオード、コイル、コンデンサ、抵抗、ＩＣチップ、マイコン、ＡＳＩＣを採用することができる。
【００１７】
基板１０は、下記のケース３０及びハウジング８０の少なくとも一方に固定されている。基板１０の固定方法としては、例えば、ねじ締結を採用することができる。ケース３０は、基板１０、電子部品２０、圧接端子４０の一部、及び、電線９０の一部を収容する収容部材を構成するとともに、電子装置１００のコネクタハウジングを構成するものである。
【００１８】
ケース３０は、底部３２を有し、底部３２と反対の一面が開口する箱状をなしている。底部３２は、厚さ方向がＺ方向に沿う略平板形状をなしている。ケース３０の開口は、ハウジング８０により閉塞されている。基板１０、及び、基板１０に実装された電子部品２０は、ケース３０によって覆われている。底部３２における基板１０側の内面３２ａは、表面１０ａとＺ方向に対向している。ケース３０は、樹脂材料を用いて形成されている。
【００１９】
ケース３０は、底部３２からＺ方向のうちの基板１０と反対側に延設された延設部３４をさらに有している。延設部３４は、延設方向がＺ方向に沿う略筒形状をなしている。延設部３４及び底部３２により、コネクタハウジングが形成されている。
【００２０】
圧接端子４０は、コネクタ端子をなす端子４２と、基板１０と電線９０とを電気的に中継する端子４４と、を含んでいる。端子４２は、インサート成形や圧入等により、底部３２と一体に成形されている。すなわち、端子４２が、底部３２に保持されている。ケース３０により形成されたコネクタハウジング、及び、端子４２によって、電子装置１００における外部接続用のコネクタが構成されている。外部機器のコネクタにおけるコネクタハウジングがケース３０により形成されたコネクタハウジングと嵌合することで、外部機器のコネクタにおける端子が端子４２と電気的に接続され、ひいては外部機器が電子装置１００と電気的に接続される。
【００２１】
端子４２は、Ｚ方向に延設されたプレスフィット端子である。端子４２の一端は、延設部３４が囲む中空に位置している。また、端子４２の他端には、スルーホール１２の内壁面に形成された電極に圧接する圧接部が形成されている。
【００２２】
端子４２の圧接部は、表面１０ａ側からスルーホール１２に圧入される。端子４２は、圧入された状態で、圧接部により、スルーホール１２の内壁面に形成された電極にばね反力を作用させる。これにより、端子４２及び基板１０は、互いに保持され、機械的及び電気的に接続される。
【００２３】
端子４４は、端子４２と同様に、Ｚ方向に延設されたプレスフィット端子である。端子４４の一端には、端子４２と同様に、スルーホール１２の内壁面に形成された電極に圧接する圧接部が形成されている。端子４４の圧接部は、裏面１０ｂ側からスルーホール１２に圧入される。端子４４は、圧入された状態で、圧接部により、スルーホール１２の内壁面に形成された電極にばね反力を作用させる。これにより、端子４４及び基板１０は、互いに保持され、機械的及び電気的に接続される。端子４４には、スルーホール１２の内壁面に圧接する圧接部が形成された一端と反対の他端に、電線９０に圧接する部分が形成されている。
【００２４】
端子４４は、導電率がＩＡＣＳにして４０％以上の金属材料を用いて形成されている。言い換えると、端子４４は、導電率が４０％ＩＡＣＳ以上の金属材料を用いて形成されている。詳しくは、端子４４の母材は、導電率が４０％以上ＩＡＣＳの銅合金を用いて形成されている。端子４４の母材は、例えば、コルソン銅合金を用いて形成されている。導電率の単位である％ＩＡＣＳとは、焼鈍標準軟銅の導電率である１．７２４１×１０−２μΩｍを１００％とした場合における導電率の割合である。
【００２５】
ハウジング８０は、ケース３０とともに、基板１０、電子部品２０、圧接端子４０の一部、及び、電線９０の一部を収容する収容部材を構成している。すなわち、ハウジング８０は、ケース３０とともに収容空間を形成している。
【００２６】
ハウジング８０は、厚さ方向がＺ方向に沿う略平板形状をなしている。ハウジング８０における基板１０側の内面８０ａは、裏面１０ｂとＺ方向に対向している。内面８０ａは、ケース３０の開口を閉塞している。ハウジング８０は、樹脂材料を用いて形成されている。
【００２７】
本実施形態において、ハウジング８０は、ケース３０と反対側において、モータを収容するモータケースの一部を構成している。ハウジング８０には、内面８０ａからＺ方向に所定深さ凹んで形成される孔８２が形成されている。孔８２には、端子４４の一部、及び、電線９０の一部が配置されている。電線９０は、モータと電気的に接続されている。基板１０は、端子４４及び電線９０を介して、モータと電気的に接続されている。
【００２８】
次に、図２〜図６に基づき、端子４４、ハウジング８０、及び、電線９０の詳細構造について説明する。
【００２９】
図２に示すように、孔８２の側面８２ａは、Ｚ方向に沿う面である。側面８２ａにおける基板１０側の端部は、内面８０ａと連結され、孔８２の開口をなしている。図３に示すように、側面８２ａのＸＹ平面に沿う平面形状は、略真円形状をなしている。側面８２ａにおいてＺ方向における内面８０ａと反対側の端部は、底面８２ｂと連結されている。底面８２ｂは、Ｚ方向と直交する平面である。
【００３０】
底面８２ｂの一部には、Ｚ方向に所定深さ凹む溝８４が形成されている。溝８４は、ＸＹ平面における底面８２ｂの中心付近に形成されている。底面８２ｂに溝８４が形成されることにより、底面８２ｂのＸＹ平面に沿う平面形状は環状をなしている。
【００３１】
電線９０は、接着材等により、側面８２ａ及び底面８２ｂの少なくとも一方に固定されている。図２〜図４に示すように、電線９０の端部は、螺旋状に複数回巻かれている。電線９０の螺旋状に巻かれた部分は、孔８２に配置されている。螺旋状に巻かれた電線９０の軸方向は、Ｚ方向である。これにより、電線９０のリング状をなす部分は、Ｚ方向に複数並んでいる。
【００３２】
本実施形態では、電線９０が螺旋状に７回巻かれており、７段の電線９０がＺ方向に重なっている。しかしながら、電線９０の巻き数は、これに限定するものではない。電線９０の巻き数は、２回以上であればよい。なお、図４では、ハウジング８０を破線で示している。図４に示すように、孔８２の開口の周縁部には、電線９０におけるモータと反対側の端部が配置された溝８６が形成されている。
【００３３】
電線９０がＺ方向を軸方向とする螺旋状に複数回巻かれることにより、Ｚ方向に延びる中空９２が形成されている。中空９２は、螺旋状に巻かれた電線９０によって囲まれる空間である。言い換えると、中空９２は、螺旋状に巻かれた電線９０の内側に形成された空間である。
【００３４】
電線９０の巻回していない側の端部は、ハウジング８０の内部をＺ方向に延びて、ハウジング８０の図示しない箇所から突出している。電線９０におけるハウジング８０から突出した部分は、モータと電気的に接続されている。
【００３５】
図２、図３、図５、及び、図６に示すように、電線９０は、導体部９４と、導体部９４を被覆する被覆部９６とを有している。なお、図５では、端子４４が中空９２に挿入されていない状態の電線９０について示している。
【００３６】
端子４４が中空９２に挿入されていない状態の電線９０において、導体部９４の断面形状は、略真円形状をなしている。端子４４が中空９２に挿入されていない状態の電線９０において、被覆部９６の断面形状は、内周及び外周が略真円形状をなす略円環形状をなしている。
【００３７】
端子４４は、一対の梁部４６と、第１連結部４８と、第２連結部５０と、を有している。一対の梁部４６は、Ｘ方向において互いに対向している。第１連結部４８は、各梁部４６の一端同士が連結されてなる。また、第１連結部４８は、端子４４の先端をなしている。第１連結部４８は、溝８４に挿し込まれるように配置されている。第１連結部４８は、Ｚ方向と直交する幅が、Ｚ方向において先端に向かうほど狭くされている。これにより、第１連結部４８は、テーパ形状をなしている。
【００３８】
第２連結部５０は、各梁部４６における第１連結部４８と反対の他端同士が連結されてなる。第２連結部５０は、第１連結部４８よりもＺ方向における基板１０側に形成されている。第２連結部５０は、孔８２の外部に配置されている。図２では、梁部４６と第１連結部４８との境界、及び、梁部４６と第２連結部５０との境界を二点鎖線で示している。
【００３９】
各梁部４６は、端子４４が中空９２に挿入された状態で底面８２ｂとＺ方向に対向する底面４６ａと、Ｚ方向に沿う側面４６ｂとを有している。底面４６ａは、Ｚ方向と直交する平面である。底面４６ａにおいてＸ方向における電線９０側の端部は、側面４６ｂと連結されている。
【００４０】
側面４６ｂは、例えば、側面８２ａに沿う曲面であるか、又は、Ｘ方向と直交する平面とされている。側面４６ｂにおいてＺ方向における第２連結部５０と反対側の端部は、底面４６ａと連結されている。本実施形態において底面４６ａ及び側面４６ｂがなす角度は、約９０°とされている。言い換えると、底面４６ａ及び側面４６ｂが連結されてなる角部５２の角度は、約９０°とされている。角部５２は、エッジと称することもできる。
【００４１】
角部５２は、端子４４が中空９２に挿入された際に、被覆部９６における中空９２側の部分を除去するものである。Ｚ方向に重なる電線９０の被覆部９６は、角部５２により除去されている。角部５２は、特許請求の範囲に記載の除去部に相当する。なお本実施形態では、角部５２によって、導体部９４の一部も除去される。Ｚ方向に重なる電線９０の導体部９４は、中空９２側の被覆部９６が角部５２によって除去されることにより、中空９２に露出している。
【００４２】
圧接部５４は、梁部４６のうちの、角部５２よりもＺ方向において第２連結部５０側に設けられて、中空９２に露出する導体部９４と接触している部分である。図２では、梁部４６において、圧接部５４以外の部分と圧接部５４との境界を一点鎖線で示している。圧接部５４は、Ｚ方向に重なる電線９０の導体部９４に圧接している。圧接部５４は、導体部９４に対して、ばね反力を作用させて圧接している。言い換えると、圧接部５４は、導体部９４に付勢している。これにより、端子４４は、電線９０と機械的及び電気的に接続されている。
【００４３】
端子４４は、弾性変形可能に設けられている。端子４４では、各梁部４６におけるＺ方向の幅が縮むように弾性変形することで、梁部４６同士のＸ方向の対向距離が長くなる。これにより、圧接部５４は、導体部９４にばね反力を作用させることができる。
【００４４】
次に、図７及び図８に基づき、電子装置１００の組み付け方法のうちの端子４４をハウジング８０に組み付ける工程について説明する。
【００４５】
先ず、図７に示すように、ハウジング８０に電線９０を配置する。中空９２に端子４４が挿入されていない状態において、被覆部９６は、除去されておらず、導体部９４の全体を被覆している。すなわち、導体部９４ではなく被覆部９６が中空９２を規定している。
【００４６】
次に、図８に示すように、端子４４を中空９２に挿入する。この工程では、先ず、Ｚ方向の投影視において、端子４４が中空９２における底面８２ｂと反対側の開口と重なるように、ハウジング８０に対してＺ方向における内面８０ａ側に端子４４を配置する。このとき、Ｚ方向の投影視において、底面４６ａは、被覆部９６における中空９２側の部分と重なっている。
【００４７】
そして、端子４４をＺ方向のうちの中空９２側へ移動させる。図８の白抜き矢印は、端子４４を移動させる方向を示している。これにより、先端をなす第１連結部４８から端子４４を中空９２に挿入することができる。端子４４を移動させることで、角部５２が電線９０に接触する。電線９０の中空９２側の部分は、角部５２により除去される。角部５２によって除去された導体部９４及び被覆部９６は、底面８２ｂに配置されるか、又は、溝８４に配置される。
【００４８】
端子４４が中空９２に挿入された後において、各梁部４６同士の対向距離は、中空９２に挿入される前に較べて短くされている。すなわち、中空９２に挿入された後における端子４４のＸ方向の幅は、中空９２に挿入される前に較べて狭くされている。これにより、端子４４は、圧接部５４により、導体部９４に対してＸ方向にばね反力を作用させる。
【００４９】
次に、上記した電子装置１００の効果について説明する。
【００５０】
本実施形態において、電線９０は螺旋状に複数回巻かれており、Ｚ方向に重なる電線９０の導体部９４と圧接部５４が接触している。よって、圧接部５４は、導体部９４のＺ方向に並ぶ複数箇所と接触している。これによれば、電線９０の本数を複数とすることなく、電線９０と端子４４との接触面積が小さくなるのを抑制することができる。すなわち、電線９０と端子４４との接触面積を確保しつつ、電線９０の配置スペースが大きくなるのを抑制することができる。
【００５１】
また、本実施形態において、端子４４では、角部５２が圧接部５４に対してＺ方向に連結されつつ、圧接部５４が中空９２に露出する導体部９４に圧接している。すなわち、圧接部５４は、中空９２に配置される。そのため、Ｚ方向と直交する方向において、端子４４の幅は、中空９２の幅よりも狭くされる。したがって、端子４４の配置スペースが大きくなるのを抑制することができる。
【００５２】
本実施形態において、端子４４はプレスフィット端子とされ、圧接部５４が導体部９４にばね反力を作用させて圧接している。これによれば、圧接部５４と導体部９４との間に隙間が形成され難く、圧接部５４と導体部９４との接触面積が小さくなるのを効果的に抑制することができる。
【００５３】
本実施形態において、第１連結部４８は、Ｚ方向と直交する方向の幅が先端に向かうほど狭くされたテーパ形状をなしている。これによれば、端子４４を中空９２に挿入する際に、端子４４の位置がずれた場合であっても端子４４の先端が中空９２に入り易い。したがって、端子４４がハウジング８０に当たって座屈するのを抑制し、電子装置１００の組み付け性を向上することができる。
【００５４】
本実施形態において、端子４４は、導電率が４０％ＩＡＣＳ以上の金属材料を用いて形成されている。これによれば、端子４４の形成材料の導電率が４０％ＩＡＣＳ未満とされた構成に較べて、大きな電流を端子４４に流し易い。これによれば、電線９０の巻き数を多くすることなく大きな電流を流すことができるため、電線９０の配置スペースが大きくなるのを効果的に抑制することができる。
【００５５】
（第２実施形態）
本実施形態において、第１実施形態に示した電子装置１００と共通する部分についての説明は割愛する。
【００５６】
図９及び図１０に示すように、端子４４の梁部４６には、凹み５６が形成されている。凹み５６は、端子４４が中空９２に挿入された際に、電線９０を保持するものである。端子４４が中空９２に挿入された状態で、凹み５６は、梁部４６における電線９０とＸ方向に対向する面に、電線９０から遠ざかるようにＸ方向に凹んでいる。凹み５６は、梁部４６を切り欠くように形成されている。そのため、凹み５６を切り欠きと称することもできる。
【００５７】
凹み５６には、内壁面として内面５６ａが形成されている。内面５６ａは、Ｚ方向と直交する平面とされている。内面５６ａにおける電線９０側の端部は、側面４６ｃと連結されている。側面４６ｃは、Ｚ方向に沿う面である。端子４４が中空９２に挿入された状態で、側面４６ｃは、電線９０とＸ方向に対向している。
【００５８】
側面４６ｃは、例えば、側面８２ａに沿う曲面であるか、又は、Ｘ方向と直交する平面とされている。側面４６ｃにおける第２連結部５０と反対側の端部が、内面５６ａと連結されている。本実施形態において内面５６ａ及び側面４６ｃがなす角度は、約９０°とされている。言い換えると、内面５６ａ及び側面４６ｃが連結されてなる角部５８の角度は、約９０°とされている。角部５８は、特許請求の範囲に記載の除去部に相当する。
【００５９】
以下、内面５６ａにおけるＸ方向の幅を除去幅Ｗと示す。また、凹み５６におけるＺ方向の高さを除去高さＨと示す。除去高さＨは、凹み５６の開口におけるＺ方向の幅である。除去幅Ｗは、被覆部９６の膜厚Ｔよりも長くされている。また、除去幅Ｗは、電線９０の直径Ｒを２で割った値、すなわち電線９０の半径よりも短くされている。除去高さＨは、電線９０の半径よりも長くされている。また、除去高さＨは、電線９０の直径Ｒよりも短くされている。以上によれば、長いものから順に、電線９０の直径Ｒ、除去高さＨ、電線９０の半径、除去幅Ｗ、被覆部９６の膜厚Ｔとされている。凹み５６の開口に電線９０が保持されるように、凹み５６の開口の幅が直径Ｒよりも短くされている。
【００６０】
端子４４を中空９２に挿入するために端子４４をＺ方向に移動させると、図１１に示すように、凹み５６により電線９０が保持される。このとき、除去高さＨが電線９０の半径よりも長くされるとともに直径Ｒよりも短くれることにより、凹み５６の開口に電線９０を確実に保持することができる。なお、図１１では、便宜上、電線９０のうちの凹み５６に保持された部分のみを示している。
【００６１】
電線９０が凹み５６に保持された状態で端子４４をさらにＺ方向に移動させると、被覆部９６における中空９２側の部分が角部５８によって除去される。このとき、除去幅Ｗが被覆部９６の膜厚Ｔよりも長くされていることにより、確実に被覆部９６を除去することができる。また、除去幅Ｗが電線９０の半径よりも短くされていることにより、導体部９４が余分に除去されるのを抑制することができる。
【００６２】
本実施形態では、電線９０を保持するための凹み５６が端子４４に形成され、凹み５６の開口に角部５８が形成されていてる。これによれば、端子４４が中空９２に挿入された際に、電線９０が凹み５６によって保持されるとともに、角部５８によって被覆部９６が除去される。そのため、端子４４に凹み５６が形成されていない構成に較べて、被覆部９６が除去され易い。これによれば、中空９２に導体部９４が露出し易く、圧接部５４と導体部９４との接触面積が小さくなるのを効果的に抑制することができる。
【００６３】
（第３実施形態）
本実施形態において、第１実施形態に示した電子装置１００と共通する部分についての説明は割愛する。
【００６４】
図１２に示すように、各梁部４６には、２段の階段形状をなす部分が形成されている。これにより、各梁部４６は、Ｚ方向に並ぶ２つの除去部を有している。言い換えると、端子４４において、被覆部９６を除去する除去部がＺ方向に複数並んでいる。
【００６５】
梁部４６は、Ｚ方向と直交する底面４６ｄ、Ｚ方向に沿う側面４６ｅ、Ｚ方向と直交する底面４６ｆ、Ｚ方向に沿う側面４６ｇを有している。端子４４が中空９２に挿入された状態で、底面４６ｄは、底面８２ｂとＺ方向に対向している。底面４６ｄにおける電線９０側の端部が、側面４６ｅと連結されている。
【００６６】
側面４６ｅは、例えば、側面８２ａに沿う曲面であるか、又は、Ｘ方向と直交する平面とされている。側面４６ｅにおける第２連結部５０と反対側の端部が、底面４６ｄと連結されている。
【００６７】
本実施形態において底面４６ｄ及び側面４６ｅがなす角度は、約９０°とされている。言い換えると、底面４６ｄ及び側面４６ｅが連結されてなる角部６０の角度は、約９０°とされている。角部６０は、端子４４が中空９２に挿入された際に被覆部９６を除去する除去部である。
【００６８】
側面４６ｅにおける第２連結部５０側の端部は、底面４６ｆと連結されている。底面４６ｆは、側面４６ｅにおける第２連結部５０側の端部から、Ｘ方向のうちの電線９０側に向かう方向に延びている。端子４４が中空９２に挿入された状態で、底面４６ｆは、底面８２ｂとＺ方向に対向している。底面４６ｆにおける電線９０側の端部が、側面４６ｇと連結されている。
【００６９】
側面４６ｇは、例えば、側面８２ａに沿う曲面であるか、又は、Ｘ方向と直交する平面とされている。側面４６ｇにおける第２連結部５０と反対側の端部が、底面４６ｆと連結されている。
【００７０】
本実施形態において底面４６ｆ及び側面４６ｇがなす角度は、約９０°とされている。言い換えると、底面４６ｆ及び側面４６ｇが連結されてなる角部６２の角度は、約９０°とされている。角部６２は、端子４４が中空９２に挿入された際に被覆部９６を除去する除去部である。角部６２は、Ｚ方向において、角部６０よりも第２連結部５０の近くに形成されている。また、端子４４が中空９２に挿入された状態で、角部６２は、Ｘ方向において、角部６０よりも電線９０の近くに形成されている。角部６０及び角部６２は、特許請求の範囲に記載の除去部に相当する。
【００７１】
本実施形態では、被覆部９６を除去する角部６０及び角部６２がＺ方向に並んでいる。これによれば、端子４４が中空９２に挿入された際に、角部６０によって除去できなかった被覆部９６を、角部６２によって除去することができる。そのため、被覆部９６を除去する部分が１つとされた構成に較べて、被覆部９６が除去され易い。したがって、圧接部５４と導体部９４との接触面積が小さくなるのを効果的に抑制することができる。
【００７２】
（第４実施形態）
本実施形態において、第１実施形態に示した電子装置１００と共通する部分についての説明は割愛する。
【００７３】
図１３に示すように、各梁部４６は、端子４４が中空９２から抜けるのを抑制する抜止部６４を有している。抜止部６４は、圧接部５４に対して角部５２と反対側に形成されている。すなわち、抜止部６４は、角部５２に対して圧接部５４側に形成されている。
【００７４】
抜止部６４は、梁部４６における他の部分から、Ｘ方向のうちの電線９０へ向かう方向に突出している。端子４４が中空９２に挿入された状態で、抜止部６４は、電線９０における中空９２側の部分に対し、食い込むように接触している。
【００７５】
抜止部６４におけるＸ方向の幅は、Ｚ方向において角部５２へ向かうほど狭くされている。これにより抜止部６４は、テーパ形状をなしている。抜止部６４は、斜面６４ａと上面６４ｂとを有している。斜面６４ａは、Ｘ方向及びＺ方向に対して所定角度を有してＹ方向に沿う平面である。斜面６４ａは、Ｚ方向において角部５２側へ向かうほど、Ｘ方向において電線９０から遠ざかるように形成されている。すなわち、斜面６４ａは、Ｚ方向において第２連結部５０へ向かうほど側面８２ａへ近づくように形成されている。斜面６４ａにおける第２連結部５０側の端部は、上面６４ｂと連結されている。
【００７６】
上面６４ｂは、Ｚ方向と直交する平面である。上面６４ｂにおいて、Ｘ方向における側面８２ａ側の端部が斜面６４ａと連結されている。斜面６４ａと上面６４ｂとが連結されてなる角部の角度は、９０°未満とされている。
【００７７】
本実施形態では、端子４４に抜止部６４が形成されていることによって、端子４４が中空９２から抜けるのを抑制することができる。よって、端子４４と電線９０との接続信頼性を向上することができる。
【００７８】
また本実施形態において、抜止部６４におけるＸ方向の幅は、角部５２へ向かうほど狭くされている。これによれば、端子４４を中空９２に挿入する際、電線９０から抜止部６４に作用する応力のＺ方向成分を小さくすることができ、小さな力で端子４４を挿入することができる。
【００７９】
（第５実施形態）
本実施形態において、第１実施形態に示した電子装置１００と共通する部分についての説明は割愛する。
【００８０】
図１４及び図１５に示すように、端子４４は、基部６６と突出部６８とを有している。基部６６は、各辺がＸ方向、Ｙ方向、又は、Ｚ方向に沿う略直方体形状をなしている。端子４４が中空９２に配置された状態で、基部６６の一部は、中空９２に配置されている。図１４では、基部６６と突出部６８との境界を二点鎖線で示している。基部６６は、底面８２ｂとＺ方向に対向する底面６６ａを有している。底面６６ａは、Ｚ方向と直交する平面である。
【００８１】
突出部６８は、底面６６ａから溝８４に向かって突出している。突出部６８は、端子４４の先端をなしている。突出部６８は、溝８４に挿し込まれるように配置されている。突出部６８は、Ｚ方向と直交する幅が、Ｚ方向において先端に向かうほど狭くされている。これにより、突出部６８は、テーパ形状をなしている。
【００８２】
基部６６は、Ｚ方向に沿う側面６６ｂとして、Ｘ方向と直交する平面と、Ｙ方向と直交する平面と、を有している。端子４４が中空９２に挿入された状態で、側面６６ｂは、導体部９４における中空９２側の部分と接触している。
【００８３】
端子４４が中空９２に挿入されると、底面６６ａと側面６６ｂとが連結されてなる角部７０により被覆部９６における中空９２側の部分が除去される。角部７０は、特許請求の範囲に記載の除去部に相当する。
【００８４】
図１５及び図１６に示すように、中空９２のＸＹ平面に沿う平面形状は、各辺がＸ方向又はＹ方向に沿う略長方形状をなしている。すなわち、電線９０は、中空９２の平面形状が略長方形状となるように螺旋状に巻かれている。なお、図１６では、端子４４が中空９２に挿入されていない状態の電線９０について示している。
【００８５】
基部６６におけるＹ方向の幅は、端子４４が挿入されていない状態の中空９２におけるＹ方向の幅よりも広くされている。基部６６におけるＸ方向の幅は、端子４４が挿入されていない状態の中空９２におけるＸ方向の幅よりも広くされている。以上により、ＸＹ平面において、基部６６の断面積は、端子４４が挿入されていない状態の中空９２の断面積よりも大きくされている。
【００８６】
端子４４が中空９２に挿入された状態において、被覆部９６における中空９２側の部分全体は、基部６６によって除去されている。端子４４が中空９２に挿入された状態において、基部６６は導体部９４と隙間なく接触している。基部６６は、電線９０における中空９２側に向く面の全体と接触している。基部６６における導体部９４と接触している部分は、導体部９４に圧接する圧接部５４である。
【００８７】
端子４４が中空９２に挿入された状態で、圧接部５４には、Ｚ方向と直交する方向の幅が狭くなるように電線９０から応力が作用されている。圧接部５４は、電線９０からの応力により弾性変形するとともに、電線９０にばね反力を作用している。
【００８８】
例えば、端子４４を中空９２に挿入する際、底面６６ａが底面８２ｂと接触するように端子４４を移動させる。これにより、底面８２ｂから基部６６にＺ方向の応力を作用させる。この応力よって、基部６６は、Ｚ方向に縮むとともに、Ｚ方向と直交する方向の幅が広くされる。基部６６の幅が広くなることで、圧接部５４と電線９０とが互いに作用させる応力を大きくすることができる。
【００８９】
本実施形態において、圧接部５４は、電線９０における中空９２側に向く面の全体と接触している。これによれば、圧接部５４と電線９０との間に隙間が形成された構成に較べて、圧接部５４と導体部９４との接触面積が小さくなるのを効果的に抑制することができる。また、この構成では、角部７０によって除去された電線９０が、溝８４及び孔８２から外部に出るのを抑制することができる。したがって、角部７０によって除去された導体部９４の一部が、基板１０や電子部品２０と接触するのを抑制することができる。
【００９０】
なお、本実施形態において、端子４４は、直方体形状をなす基部６６を有する例を示したが、これに限定するものではない。図１７及び図１８の第１変形例に示すように、端子４４がＺ方向に延設された略筒形状をなす筒部７２を有する例を採用することもできる。筒部７２は、例えば、金属板を曲げることによって形成される。筒部７２のＸＹ平面に沿う平面形状は、略円環形状とされている。筒部７２における外周面７２ａ及び内周面７２ｂのＸＹ平面に沿う平面形状は、略真円形状とされている。端子４４が中空９２に挿入された状態において、外周面７２ａは、導体部９４と隙間なく接触している。
【００９１】
以上、本発明の好ましい実施形態について説明したが、本発明は上記実施形態になんら制限されることなく、本発明の主旨を逸脱しない範囲において、種々変形して実施することが可能である。
【００９２】
上記実施形態では、電子装置１００が、基板１０、電子部品２０、ケース３０、圧接端子４０、ハウジング８０、及び、電線９０を備える例を示したが、これに限定されるものではない。電子装置１００は、少なくとも、端子４４及び電線９０を備える構成であればよい。
【符号の説明】
【００９３】
１０…基板、１０ａ…表面、１０ｂ…裏面、１２…スルーホール、２０…電子部品、３０…ケース、３２…底部、３２ａ…内面、３４…延設部、４０…圧接端子、４２…端子、４４…端子、４６…梁部、４６ａ…底面、４６ｂ…側面、４６ｃ…側面、４６ｄ…底面、４６ｅ…側面、４６ｆ…底面、４６ｇ…側面、４８…第１連結部、５０…第２連結部、５２…角部、５４…圧接部、５６…凹み、５６ａ…内面、５８…角部、６０…角部、６２…角部、６４…抜止部、６４ａ…斜面、６４ｂ…上面、６６…基部、６６ａ…底面、６６ｂ…側面、６８…突出部、７０…角部、７２…筒部、７２ａ…外周面、７２ｂ…内周面、８０…ハウジング、８０ａ…内面、８２…孔、８２ａ…側面、８２ｂ…底面、８４…溝、８６…溝、９０…電線、９２…中空、９４…導体部、９６…被覆部、１００…電子装置
【図１】
2017204363.tif 000003
【図２】
2017204363.tif 000004
【図３】
2017204363.tif 000005
【図４】
2017204363.tif 000006
【図５】
2017204363.tif 000007
【図６】
2017204363.tif 000008
【図７】
2017204363.tif 000009
【図８】
2017204363.tif 000010
【図９】
2017204363.tif 000011
【図１０】
2017204363.tif 000012
【図１１】
2017204363.tif 000013
【図１２】
2017204363.tif 000014
【図１３】
2017204363.tif 000015
【図１４】
2017204363.tif 000016
【図１５】
2017204363.tif 000017
【図１６】
2017204363.tif 000018
【図１７】
2017204363.tif 000019
【図１８】
2017204363.tif 000020